(57)【要約】      （修正有）【課題】強大な地震等の外部振動や衝撃を受けても、これに耐える簡単な構成の天井下地材取付装置を提案する。【解決手段】吊り部材としたＬ型鋼棒１を吊持支持する吊持支持金具２は、押圧ボルト３をねじ込む上片部４と上片部４の両端部から下向きコ字状に折曲一体形成される左右側片部５，６とを有し、左右側片部５，６には、Ｈ型鋼Ｆの下部フランジ片Ｆ１に挿入する左右挿入溝部７，８と、Ｌ型鋼棒１の上端部１ａをビス止めしてＬ型鋼棒１を吊持支持するための左右ビス止め部９，１０とを有し、左右挿入溝部７，８に挿入された下部フランジ片Ｆ１を上片部４にねじ込まれた押圧ボルト３によって吊持支持金具２をＨ型鋼Ｆの下部フランジ片Ｆ１に支持させ、左右ビス止め部９，１０に設けたビス挿通孔１１から固定ビス１２をねじ込んでＬ型鋼棒１を垂下状に吊持支持させ、Ｌ型鋼棒１の下端部に天井下地材を取り付けるようにした。【選択図】図１
2020183680.tif 000002
【特許請求の範囲】
【請求項１】
天井梁材であるＨ型鋼に吊持支持金具を介して吊り部材を吊持支持し、吊り部材の下端部に天井下地材を取り付けるようにした天井下地材取付装置において、
前記吊り部材は、Ｌ型鋼棒からなり、
前記吊持支持金具は、押圧ボルトをねじ込む上片部と該上片部の両端部から下向きコ字状に折曲一体形成される左右側片部とを有し、
前記左右側片部には、前記Ｈ型鋼の下部フランジ片に挿入する左右挿入溝部と、前記Ｌ型鋼棒の上端部をビス止めして該Ｌ型鋼棒を吊持支持するための左右ビス止め部とを有し、
前記左右挿入溝部に挿入された下部フランジ片を前記吊持支持金具の上片部にねじ込まれた押圧ボルトによって押圧することによって該吊持支持金具をＨ型鋼の下部フランジ片 に支持させ、前記左右ビス止め部に設けたビス挿通孔から固定ビスをＬ型鋼棒にねじ込んで該Ｌ型鋼棒を左右ビス止め部に垂下状に吊持支持させ、
しかしてＬ型鋼棒の下端部に天井下地材を取り付けるようにした天井下地材取付装置。
【請求項２】
前記吊持支持金具のうち、押圧ボルトをねじ込む上片部の横幅が前記Ｌ型鋼棒の幅員よりも広く形成されてなる請求項１に記載の天井下地材取付装置。
【請求項３】
前記左右ビス止め部には垂下方向及び水平方向に多数のビス挿通孔が形成されてなる請求項１又は２に記載の天井下地材取付装置。
【請求項４】
前記左右ビス止め部は、その左右一方側のビス止め部が他方側のビス止め部よりも垂下方向に長く形成されてなる請求項１〜３の何れかに記載の天井下地材取付装置。
【請求項５】
前記吊持支持金具の上片部にねじ込まれる前記押圧ボルトは前記Ｈ型鋼の下部フランジ片の前記左右挿入溝部への挿入方向に複数個並列してねじ込まれるようになっている請求項１〜４の何れかに記載の天井下地材取付装置。
【請求項６】
Ｌ型鋼棒の下端部にビス止めされる固定ビスによって天井下地材固定用ハンガーをＬ型鋼棒に固定し、該ハンガーを介してＬ型鋼棒の下端部に天井下地材を取り付け固定するようにした請求項１〜５の何れかに記載の天井下地材取付装置。
【請求項７】
Ｌ型鋼棒の下端部に固定ビスを天井下地材にねじ込んでＬ型鋼棒の下端部に天井下地材を取り付けるようにした請求項１〜５の何れかに記載の天井下地材取付装置。
【請求項８】
Ｌ型鋼棒の下端部において、その一方のＬ型鋼片部に天井下地材である野縁受けをビス止めし、該野縁受けの下方側にあって前記一方のＬ型鋼片部に直交する他方のＬ型鋼片部に野縁をビス止めしてなる請求項１〜５の何れかに記載の天井下地材取付装置。
【請求項９】
Ｌ型鋼棒の上端部は吊持支持金具にビス止めされ、Ｌ型鋼棒の下端部は天井下地材にビス止めされてなる請求項１〜８の何れかに記載の天井下地材取付装置。
【請求項１０】
Ｈ型鋼の左右の下部フランジ片に一対の吊持支持金具を点対称状に且つ両吊持支持金具の左右側片部が同一垂直面上に位置するように取り付け、両左右側片部間を連繋部材で互いに連繋するようビス止めしてなる請求項１〜９の何れかに記載の天井下地材取付装置。
【発明の詳細な説明】
【技術分野】
【０００１】
本発明は、建物の天井梁材であるＨ型鋼を利用してこれに吊り部材を介して天井下地材を取り付ける天井下地材取付装置に関する。
【背景技術】
【０００２】
野縁等の天井下地材をＨ型鋼から垂下状に吊持支持される吊り部材としては、一般的には下記特許文献１に示されるように吊りボルトが採用されている。
【０００３】
このような吊りボルトによって野縁や天井材等の天井下地材を吊持装着する吊りボルト吊持タイプでは地震時における吊りボルトの脱落等で重大な危害が発生する危険性が高く、これを回避するために、近年では天井下地材を吊りボルトで吊持するのではなく、一種の剛体構造による吊り部材と、吊り部材のＨ型鋼への剛体構造による取付装置によることが要望されている。
【先行技術文献】
【特許文献】
【０００４】
【特許文献１】特開２０１６−２０４９２６号公報
【発明の概要】
【発明が解決しようとする課題】
【０００５】
本発明は、上記従来技術に鑑み、天井下地材を吊り部材によって天井梁材であるＨ型鋼に取り付けるにあたって、強大な地震等の外部振動や衝撃を受けても、これに十分に耐えることができる簡単な構成の一種の剛体構造からなる天井下地材取付装置を提案することを目的とするものである。
【課題を解決するための手段】
【０００６】
上記目的を達成するための手段を図面の参照符号を付して示せば、請求項１の発明に係る天井下地材取付装置は、天井梁材であるＨ型鋼Ｆに吊持支持金具を介して吊り部材を吊持支持し、吊り部材の下端部に天井下地材を取り付けるようにした天井下地材取付装置において、
前記吊り部材は、Ｌ型鋼棒１からなり、
前記吊持支持金具２は、押圧ボルト３をねじ込む上片部４と該上片部４の両端部から下向きコ字状に折曲一体形成される左右側片部５，６とを有し、
前記左右側片部５，６には、前記Ｈ型鋼Ｆの下部フランジ片Ｆ１に挿入する左右挿入溝部７，８と、前記Ｌ型鋼棒１の上端部１ａをビス止めして該Ｌ型鋼棒１を吊持支持するための左右ビス止め部９，１０とを有し、
前記左右挿入溝部７，８に挿入された下部フランジ片Ｆ１を前記吊持支持金具２の上片部４にねじ込まれた押圧ボルト３によって押圧することによって吊持支持金具２をＨ型鋼Ｆの下部フランジ片Ｆ１に支持させ、前記左右ビス止め部９，１０に設けたビス挿通孔１１から固定ビス１２をＬ型鋼棒１にねじ込んで該Ｌ型鋼棒１を左右ビス止め部９，１０に垂下状に吊持支持させ、
しかしてＬ型鋼棒１の下端部１ｂに天井下地材１３を取り付けるようにしたことを特徴とする。
【０００７】
また、請求項２の発明に係る天井下地材取付装置は、前記吊持支持金具２の押圧ボルト３をねじ込む上片部４の横幅Ｌ１が前記Ｌ型鋼棒１の幅員Ｌ２よりも広く形成されてなる請求項１に記載の構成からなるものである。
【０００８】
また、請求項３の発明に係る天井下地材取付装置は、前記左右ビス止め部９，１０には垂下方向及び水平方向に多数のビス挿通孔１１，１１ａ〜１１ｎが形成されてなる請求項１又は２に記載の構成からなるものである。
【０００９】
また、請求項４の発明に係る天井下地材取付装置は、前記左右ビス止め部９，１０のうち、その一方側のビス止め部１０が他方側のビス止め部９よりも垂下方向に長く形成されてなる請求項１〜３の何れかに記載の構成からなるものである。
【００１０】
また、請求項５の発明に係る天井下地材取付装置は、前記吊持支持金具２の上片部４にねじ込まれる前記押圧ボルト３は、前記Ｈ型鋼Ｆの下部フランジ片Ｆ１の前記左右挿入溝部７，８への挿入方向に複数個並列してねじ込まれるようになっている請求項１〜４の何れかに記載の構成からなるものである。
【００１１】
また、請求項６の発明に係る天井下地材取付装置は、Ｌ型鋼棒１の下端部１ｂにビス止めされる固定ビス１２によって天井下地材固定用ハンガー１４をＬ型鋼棒１に固定し、該ハンガー１４を介してＬ型鋼棒１の下端部１ｂに天井下地材１３を取り付け固定するようにした請求項１〜５の何れかに記載の構成からなるものである。
【００１２】
また、請求項７の発明に係る天井下地材取付装置は、Ｌ型鋼棒１の下端部１ｂに固定ビス１２を天井下地材１３にねじ込んでＬ型鋼棒１の下端部１ｂに天井下地材１３を取り付けるようにした請求項１〜５の何れかに記載の構成からなるものである。
【００１３】
また、請求項８の発明に係る天井下地材取付装置は、図１２に示すように、Ｌ型鋼棒１の下端部１ｂにおいて、その一方のＬ型鋼片部１５に天井下地材である野縁受け１３ａをビス止めし、野縁受け１３ａの下方側にあって前記一方のＬ型鋼片部１５に直交する他方のＬ型鋼片部１６に野縁１３ｂをビス止めしてなる請求項１〜５の何れかに記載の構成からなるものである。
【００１４】
また、請求項９の発明に係る天井下地材取付装置は、Ｌ型鋼棒１の上端部１ａは吊持支持金具２にビス止めされ、Ｌ型鋼棒１の下端部１ｂは天井下地材１３にビス止めされてなる請求項１〜８の何れかに記載の構成からなるものである。
【００１５】
また、請求項１０の発明に係る天井下地材取付装置は、Ｈ型鋼Ｆの左右の下部フランジ片Ｆ１，Ｆ１に吊持支持金具２，２を点対称状に且つ吊持支持金具２，２の左右側片部５，６が同一垂直面上に位置するように取り付け、左右側片部５，６間を連繋部材２０で互いに連繋するようビス止めしてなる請求項１〜９の何れかに記載の構成からなる。
【発明の効果】
【００１６】
次に、本発明の効果について、図面の参照符号を付して説明する。請求項１に記載の発明によれば、天井梁材であるＨ型鋼Ｆに吊持支持金具を介して吊り部材を吊持支持し、吊り部材の下端部に天井下地材を取り付けるにあたって、吊り部材として、一種の剛体補強リブ構造である断面Ｌ型鋼片からなるＬ型鋼棒１を採用し、そして、該Ｌ型鋼棒１をＨ型鋼Ｆに吊持支持する吊持支持金具２は、押圧ボルト３をねじ込む上片部４と該上片部４の両端部から下向きコ字状に折曲一体形成される左右側片部５，６とを有し、前記左右側片部５，６には、前記Ｈ型鋼Ｆの下部フランジ片Ｆ１に挿入する左右挿入溝部７，８と、前記Ｌ型鋼棒１の上端部１ａをビス止めして該Ｌ型鋼棒１を吊持支持するための左右ビス止め部９，１０とを有し、前記左右挿入溝部７，８に挿入された下部フランジ片Ｆ１を前記吊持支持金具２の上片部４にねじ込まれた押圧ボルト３によって押圧することによって吊持支持金具２をＨ型鋼Ｆの下部フランジ片Ｆ１に支持させるようにしたため、謂わば二股状の吊持支持金具２を押圧ボルト３によってＨ型鋼Ｆの下部フランジ片Ｆ１に圧接支持させることとなり、吊持支持金具２の下部フランジ片Ｆ１に対する支持構造が極めて安定しており、例え地震等の強力が外力が吊持支持金具２に負荷しても、該吊持支持金具２は下部フランジ片Ｆ１に何ら動揺したり変動することなく確実に定位置に保持され、このような安定した吊持支持金具２のもとで、該吊持支持金具２の左右ビス止め部９，１０に設けたビス挿通孔１１から固定ビス１２をＬ型鋼棒１にねじ込んで該Ｌ型鋼棒１を吊持支持金具２の左右ビス止め部９，１０に垂下状に吊持支持させるようにしたため、Ｌ型鋼棒１の下端部１ｂの天井下地材１３を強力に保持することができる。
【００１７】
すなわち、Ｈ型鋼Ｆに対す吊持支持金具２の二股状押圧支持構造、吊持支持金具２に取り付けられるＬ型鋼棒１の剛体補強リブ構造および吊持支持金具２とＬ型鋼棒１との剛体的なビス止め構造によって、Ｈ型鋼Ｆに取り付けられる天井下地材１３に例え強力な地震等の外力が負荷しても、天井下地材１３はＨ型鋼Ｆに確実に且つ安定して保持され、天井下地材１３がＨ型鋼Ｆから脱落することはない。
【００１８】
請求項２の発明に係る天井下地材取付装置によれば、前記吊持支持金具２のうち、図１に示すように、押圧ボルト３をねじ込む上端部１ａの横幅Ｌ１が前記Ｌ型鋼棒１の幅員Ｌ２よりも広く形成されているため、現場の施工条件によってＬ型鋼棒１のＬ型鋼片部１５，１６の４５°又は９０°の向き角度の方向に自由に変えることができる。この場合に、前記左右側片部５，６の何れにも、ビス止め部９，１０を有しているため、前記左右側片部５，６の何れか側片部、例えば右側片部９にＬ型鋼片部１５が当接しているＬ型鋼棒１を、現場の施工条件によって左側片部１０にＬ型鋼片部１５が当接するように施工したい場合には、Ｌ型鋼棒１を９０°水平に変位させることによって容易に取付位置を変位させることができる。
【００１９】
請求項３の発明に係る天井下地材取付装置によれば、前記左右ビス止め部９，１０には垂下方向及び水平方向に多数のビス挿通孔１１，１１ａ〜１１ｎが形成されてなるため、Ｌ型鋼棒１は、これら多数のビス挿通孔１１，１１ａ〜１１ｎのうち、現場施工に合う数箇所のビス挿通孔１１，１１ａ〜／又は１１ｎに挿通される多くの固定ビス１２，１２ａ〜１２ｎによってビス止めされることによって現場施工に正確に対応することができる。
【００２０】
請求項４の発明に係る天井下地材取付装置によれば、前記左右ビス止め部９，１０は、その左右一方側のビス止め部１０が他方側のビス止め部９よりも垂下方向に長く形成されてなるため、Ｌ型鋼棒１の上端部１ａをできるたけ多くの固定ビス１２，１２ａ〜１２ｎによって固定したい場合には、図６に示すように、垂下方向に長く形成されているビス止め部１０にＬ型鋼棒１をビス止めすることよって、Ｌ型鋼棒１に多大の外力が負荷しても十分に耐えることができ、Ｌ型鋼棒１が吊持支持金具２から脱落することはない。
【００２１】
又、現場施工条件によっては、Ｌ型鋼棒１が若干短く長さが不足している場合があるが、この場合には、Ｌ型鋼棒１の上端部１ａを垂下方向に長く形成されているビス止め部１０の下方部分のビス挿通孔１１ｎにＬ型鋼棒１の上端部１ａを当て付けこの位置で固定ビス１２によってビス止めすることによって上記長さの不足分を補うことができる。
【００２２】
請求項５の発明に係る天井下地材取付装置によれば、前記吊持支持金具２の上片部４にねじ込まれる前記押圧ボルト３は前記Ｈ型鋼Ｆの下部フランジ片Ｆ１の前記左右挿入溝部７，８への挿入方向に複数個並列してねじ込まれるようになっているため、例えば単数の押圧ボルト３のみによって下部フランジ片Ｆ１を押圧支持することによっても十分に支持力があるが、強力な外部負荷によって単数の押圧ボルト３のみで支持する場合には、押圧ボルト３を支点として吊持支持金具２が水平方向への捩じり現象が生起することも考えられるため、押圧ボルト３がＨ型鋼Ｆの下部フランジ片Ｆ１の前記左右挿入溝部７，８への挿入方向に複数個並列して設け、複数の押圧ボルト３によって下部フランジ片Ｆ１を押圧支持することによって例え強力な外力が吊持支持金具２に負荷しても吊持支持金具２の捩じり現象を生起することなく安定して下部フランジ片Ｆ１に支持されることになる。
【００２３】
請求項６の発明に係る天井下地材取付装置によれば、Ｌ型鋼棒１の下端部１ｂにビス止めされる固定ビス１２によって天井下地材固定用ハンガー１４をＬ型鋼棒１に固定し、該ハンガー１４を介してＬ型鋼棒１の下端部１ｂに天井下地材１３を取り付け固定するようにしたため、所謂ビス止め構造によってＬ型鋼棒１に天井下地材１３を強力に取り付けることができる。
【００２４】
請求項７の発明に係る天井下地材取付装置によれば、Ｌ型鋼棒１の下端部１ｂに固定ビス１２を天井下地材１３にねじ込んでＬ型鋼棒１の下端部１ｂに天井下地材１３を取り付けるようにしたため、所謂ビス止め構造によってＬ型鋼棒１に天井下地材１３を強力に取り付けることができる。
【００２５】
請求項８の発明に係る天井下地材取付装置によれば、図１２に示すように、Ｌ型鋼棒１の下端部１ｂにおいて、その一方のＬ型鋼片部１５に天井下地材である野縁受け１３ａをビス止めし、該野縁受け１３ａの下方側にあって前記一方のＬ型鋼片部１５に直交する他方のＬ型鋼片部１６に野縁１３ｂをビス止めするようになっているため、固定用ハンガーやクリップを必要とすることがなく部品点数が少なく安価に野縁受け１３ａ及び野縁１３ｂをＬ型鋼棒１にビス止めすることができ、しかのみならず、剛体補強リブ構造体であるＬ型鋼棒１を利用してこれに直接にビス止めされるため、より一層強力に野縁受け及び野縁をＬ型鋼棒１にビス止めすることができることになる。
【００２６】
また、請求項９の発明に係る天井下地材取付装置によれば、Ｌ型鋼棒１の上端部１ａは吊持支持金具２にビス止めされ、Ｌ型鋼棒１の下端部１ｂは天井下地材１３にビス止めされて、吊持支持金具２及び天井下地材１３が所謂強力なビス止め構造によって、Ｌ型鋼棒１の上下端部１ａ，１ｂに取り付けられるようになっているため、地震等の強力の外力がＬ型鋼棒１に負荷しても、脱落することなく安定してその取付状態を維持することができる。
【００２７】
また、請求項１０の発明に係る天井下地材取付装置によれば、図１０に示すように、Ｈ型鋼Ｆの左右の下部フランジ片Ｆ１，Ｆ１に一対の吊持支持金具２，２を点対称状に且つ両吊持支持金具２，２の左右側片部５，６が同一垂直面上に位置するように取り付け、両左右側片部５，６間を連繋部材２０で互いに連繋するようビス止めしてなるため、地震等の外力が両吊持支持金具２，２に負荷しても、上記連繋部材２０による両吊持支持金具２，２間の連繋力によって両吊持支持金具２，２の左右の下部フランジ片Ｆ１，Ｆ１からの脱落を有効に阻止することができる。
【図面の簡単な説明】
【００２８】
【図１】本発明の一実施形態のＬ型鋼棒の上端部分の分解斜視図である。
【図２】本発明の一実施形態のＬ型鋼棒の下端部分の斜視図である。
【図３】本発明の一実施形態の全体を表わす正面図である。
【図４】同側面図である。
【図５】図１と向きを変えた状態のＬ型鋼棒の上端部分の分解斜視図である。
【図６】同全体を表わす正面図である。
【図７】同側面図である。
【図８】図６に示す使用状態の変形例を示す正面図である。
【図９】同側面図である。
【図１０】（ａ）は、本発明の他の実施形態のＬ型鋼棒の上端部分の正面図である。（ｂ）は、（ａ）に示されるＡ−Ａ線断面図である。
【図１１】本発明の他の実施形態の斜視図である。
【図１２】本発明の更に他の実施形態の斜視図である。
【発明を実施するための形態】
【００２９】
以下に、本発明に係る天井下地材取付装置の実施形態ついて、図面を参照して具体的に説明すると、図３に示すように、一般に鉄骨造り又は鉄筋コンクリート造りの建物の天井躯体である天井コンクリートスラブＳの下面に天井梁材であるＨ型鋼Ｆが取り付けられている。
【００３０】
本発明は、図１に示すように、このＨ型鋼Ｆを利用して、これに一種の剛体構造からなる吊持支持金具２を介して、同じく一種の剛体構造である補強リブ構造からなる吊り部材であるＬ型鋼棒１を剛体取付構造であるビス取付構造によって吊持支持金具２に取り付け、Ｌ型鋼棒１の下端部１ｂに天井下地材１３を取り付けるようにしたことを特徴とするのもである。
【００３１】
Ｌ型鋼棒１は、例えば市販のＬアングル鋼材からなるものであり、従来の吊り部材である吊りボルトと同じようにＬ型鋼棒１の下端部１ｂで天井下地材１３を吊持するのに適した長尺に一体形成された棒材からなる。
【００３２】
前記吊持支持金具２は、図１又は図５に示すように、押圧ボルト３をねじ込む上片部４と該上片部４の両端部から下向きコ字状に折曲一体形成される左右側片部５，６とを有し、又、該左右側片部５，６には、前記Ｈ型鋼Ｆの下部フランジ片Ｆ１に挿入する左右挿入溝部７，８と、Ｌ型鋼棒１の上端部１ａをビス止めして該Ｌ型鋼棒１を吊持支持するための左右ビス止め部９，１０とを有する。
【００３３】
そして、前記左右挿入溝部７，８に挿入された下部フランジ片Ｆ１を前記吊持支持金具２の上片部４にねじ込まれた押圧ボルト３によって押圧することによって吊持支持金具２をＨ型鋼Ｆの下部フランジ片Ｆ１に支持させるようにしたため、謂わば二股状の吊持支持金具２を押圧ボルト３によってＨ型鋼Ｆの下部フランジ片Ｆ１に圧接支持させることとなり、吊持支持金具２の下部フランジ片Ｆ１に対する支持構造が極めて安定しており、例え地震等の強力が外力が吊持支持金具２に負荷しても、該吊持支持金具２は下部フランジ片Ｆ１に何ら動揺したり変動することなく確実に定位置に保持され、このような安定した吊持支持金具２のもとで、該吊持支持金具２の左右ビス止め部９，１０に設けたビス挿通孔１１から固定ビス１２をＬ型鋼棒１にねじ込んで該Ｌ型鋼棒１を吊持支持金具２の左右ビス止め部９，１０に垂下状に吊持支持させるようにしたため、Ｌ型鋼棒１の下端部１ｂの天井下地材１３を強力に保持することができる。
【００３４】
すなわち、Ｈ型鋼Ｆに対す吊持支持金具２の二股状押圧支持構造、吊持支持金具２に取り付けられるＬ型鋼棒１の剛体補強リブ構造および吊持支持金具２とＬ型鋼棒１との剛体的なビス止め構造によって、Ｈ型鋼Ｆに取り付けられる天井下地材１３に例え強力な地震等の外力が負荷しても、天井下地材１３はＨ型鋼Ｆに確実に且つ安定して保持され、天井下地材１３がＨ型鋼Ｆから脱落することはない。
【００３５】
そして、前記左右ビス止め部９，１０に設けたビス挿通孔１１に挿通した固定ビス１２をＬ型鋼棒１にねじ込んで該Ｌ型鋼棒１を左右ビス止め部９，１０に垂下状に吊持支持させるようになっている。
【００３６】
図１に示すように、吊持支持金具２には予め多数のビス挿通孔１１，１１ａ〜１１ｎを設けられているが、これらのビス挿通孔１１，１１ａ〜１１ｎに挿通される固定ビス１２，１２ａ〜１２ｎをＬ型鋼棒１の上端部１ａにねじ込むための雌ねじ孔をＬ型鋼棒１に予め形成することは必要ではない。これは現場施工ではビス挿通孔１１ａ〜１１ｎに合ったどの位置に雌ねじ孔を設ける必要があるか現場施工時まで分からないからである。そこで、現場施工時に、周知のインパクトドライバーを用いて、テグスねじ（ドリルねじ）を、Ｌ型鋼棒１の上端部１ａの固定ビス１２のねじ込みの必要な個所にねじ込んで強制的に一点鎖線で示すように雌ねじ孔１２Ａを形成し、この雌ねじ孔１２Ａに固定ねじ１２をねじ込むようになっている。
【００３７】
吊持支持金具２の上片部４のねじ込まれる押圧ボルト３は、好ましくは図示のように、２本以上設けるものとし、押圧ボルト３はＨ型鋼Ｆの下部フランジ片Ｆ１の前記左右挿入溝部７，８への挿入方向に複数個並列して設けられ、吊持支持金具２の挿入方向に沿ってその上片部４にねじ孔４ａ，４ａを貫設し、このねじ孔４ａ，４ａに夫々押圧ボルト３，３をねじ込み、その先端部で下部フランジ片Ｆ１の表面を押圧するようになっている。
この場合に、例えば単数の押圧ボルト３のみによって下部フランジ片Ｆ１を押圧支持することによっても十分に支持力があるが、強力な外部負荷によって単数の押圧ボルト３のみで支持する場合には、押圧ボルト３を支点として吊持支持金具２が水平方向への捩じり現象が生起することも考えられるため、押圧ボルト３がＨ型鋼Ｆの下部フランジ片Ｆ１の前記左右挿入溝部７，８への挿入方向に複数個並列して設け、複数の押圧ボルト３によって下部フランジ片Ｆ１を押圧支持することによって例え強力な外力が吊持支持金具２に負荷しても吊持支持金具２の捩じり現象を生起することなく安定して下部フランジ片Ｆ１に支持されることになる。
【００３８】
又、図１に示すように、吊持支持金具２の上片部４は、その横幅Ｌ１がＬ型鋼棒１の幅員よりも広く形成されいる。これがために、現場の施工条件によってＬ型鋼棒１のＬ型鋼片部１５，１６の向き角度を４５°又は９０°の方向に自由に変えることができる。この場合に、前記左右側片部５，６の何れにも、ビス止め部９，１０を有しているため、前記左右側片部５，６の何れか側片部、例えば右側片部９にＬ型鋼片部１５が当接しているＬ型鋼棒１を、現場の施工条件によって左側片部１０にＬ型鋼片部１５が当接するように施工したい場合には、Ｌ型鋼棒１を９０°水平に変位させることによって容易に取付位置を変位させることができる。
【００３９】
図２〜図４は、天井下地材１３である野縁受け１３ａを抱持するようにして固定用ハンガー１４をＬ型鋼棒１の下端部１ｂに沿わせ、固定用ハンガー１４から固定ビス１２をＬ型鋼棒１の下端部１ｂにねじ込むようになっている。そして、固定用ハンガー１４には野縁受け１３ａ脱落防止用ボルト１７を架設して野縁受け１３ａの固定用ハンガー１４から脱落するのを防止するようになっている。天井下地材１３である野縁受け１３ａは周知のクリップ１８によって野縁受け１３ａに直交して取り付けられる。そして、最後に野縁１３ａの下面にビス又は接着材によって天井ボード１９が固着される。
【００４０】
更に、図１または図５に示すように、吊持支持金具２の左右ビス止め部９，１０には垂下方向及び水平方向に多数のビス挿通孔１１，１１ａ〜１１ｎが形成されてなるため、Ｌ型鋼棒１は、これら多数のビス挿通孔１１，１１ａ〜１１ｎのうち、現場施工に合う数箇所のビス挿通孔１１，１１ａ〜／又は１１ｎ挿通される固定ビス１２，１２ａ又は２ｎによってビス止めされることによって現場施工に正確に対応することができる。
【００４１】
更に又、図１、図５に示すように、吊持支持金具２の左右ビス止め部９，１０は、その左右一方側のビス止め部１０が他方側のビス止め部９よりも垂下方向に長く突出して形成されている。
【００４２】
図３及び図４は、垂下方向の突出量の少ない右ビス止め部９にＬ型鋼棒１の上端部１ａをビス止めした状態を示す。すなわち、吊持支持金具２における左右側片部５，６の左右挿入溝部７，８をＬ型鋼棒１の図中右側の下部フランジ片Ｆ１に挿入し、且つ吊持支持金具２の上片部４にねじ込んだ押圧ボルト３の先端部を下部フランジ片Ｆ１の表面を圧迫し、これによって吊持支持金具２を下部フランジ片Ｆ１に固定した状態で、Ｌ型鋼棒１の上端部１ａを吊持支持金具２の上片部４の裏面側に当接するまで左右側片部５，６間に浸入させた位置で、右ビス止め部９のビス挿通孔１１、１１ａ〜１１ｎに固定力を十分に維持できる程度の数量の固定ビス１２，１２ａ又は２ｎを挿通させ、これらの固定ビス１２，１２ａ又は２ｎをＬ型鋼棒１にビス止めすることによって、Ｌ型鋼棒１に多大の外力が負荷しても十分に耐えることができ、Ｌ型鋼棒１を吊持支持金具２に脱落することなく強力に固定することができる。
【００４３】
図５〜図７は、垂下方向の突出量の多い左ビス止め部１０にＬ型鋼棒１の上端部１ａをビス止めした状態を示す。すなわち、吊持支持金具２における左右側片部５，６の左右挿入溝部７，８をＬ型鋼棒１の図中左側の下部フランジ片Ｆ１に挿入し、且つ吊持支持金具２の上片部４にねじ込んだ押圧ボルト３の先端部を下部フランジ片Ｆ１の表面を圧迫し、これによって吊持支持金具２を下部フランジ片Ｆ１に固定した状態で、Ｌ型鋼棒１の上端部１ａを吊持支持金具２の上片部４の裏面側に当接するまで左右側片部５，６間に浸入させた位置で、左ビス止め部１０のビス挿通孔１１、１１ａ〜１１ｎに固定力を十分に維持できる程度の数量の固定ビス１２，１２ａ又は２ｎを挿通させ、これらの固定ビス１２，１２ａ又は２ｎをＬ型鋼棒１にビス止めすることよって、Ｌ型鋼棒１に多大の外力が負荷しても十分に耐えることができ、Ｌ型鋼棒１を吊持支持金具２に脱落することなく強力に固定することができる。
【００４４】
又、現場施工条件によっては、Ｌ型鋼棒１が若干短く長さが不足している場合があるが、この場合には、図８及び図９に示すように、Ｌ型鋼棒１の上端部１ａを吊持支持金具２の垂下方向の突出量の多い左ビス止め部１０の下方部分である垂下方向突出部１０ａ付近に位置させ、この位置で左ビス止め部１０のビス挿通孔１１、１１ａ〜１１ｎに固定力を十分に維持できる程度の数量の固定ビス１２，１２ａ又は２ｎを挿通させ、これらの固定ビス１２，１２ａ又は２ｎをＬ型鋼棒１にねじ込むことによって、Ｌ型鋼棒１を吊持支持金具２に強力に固定することができ、Ｌ型鋼棒１に多大の外力が負荷しても、吊持支持金具２から脱落することはない。
【００４５】
また、図１０に示す実施形態にあっては、Ｈ型鋼Ｆの左右の下部フランジ片Ｆ１，Ｆ１に吊持支持金具２，２を点対称状に且つ吊持支持金具２，２の左右側片部５，６が同一垂直面上に位置するように取り付け、左右側片部５，６間を連繋部材２０で互いに連繋するようビス止めしてなる。この場合には、例えば、一対の吊持支持金具２，２を、Ｈ型鋼Ｆの左右の下部フランジ片Ｆ１，Ｆ１に押圧ボルト３の先端部の下部フランジ片Ｆ１の表面に対する押圧力と左右側片部５，６の左右挿入溝部７，８の左右挿入溝部７，８に沿う縁部に対する前記押圧力の反力との挟持力によってのみ左右の下部フランジ片Ｆ１が保持されている場合には、地震等の両吊持支持金具２，２に負荷する外力がこれらの挟持力に打ち勝ち、両吊持支持金具２，２が左右の下部フランジ片Ｆ１，１らか脱落する虞れが無きにしも非ずである。このような場合に、上述のように、両吊持支持金具２，２を連繋部材２２によって互いに連繋するようにビス止めすることによって、地震等の両吊持支持金具２，２に負荷する外力がこれらの挟持力に打ち勝つとしても、上記連繋部材２０による両吊持支持金具２，２間の連繋力によって両吊持支持金具２，２の左右の下部フランジ片Ｆ１，Ｆ１からの脱落を有効に阻止することができる。
【００４６】
又、図１１に示すように、Ｌ型鋼棒１の下端部１ｂは直接に固定ビス１２，１２ａを天井下地材１３である野縁受け１３ａにビス止めするようになっており、図６〜図９に示すような、Ｌ型鋼棒１の下端部１ｂと野縁受け１３ａとの間に固定用ハンガー１４を介在させる必要がないため、部品点数が少なくなると共に、野縁受け１３ａに対するＬ型鋼棒１の直接のビス止め構造のため強力に野縁受け１３ａをＬ型鋼棒１に固定することができる。
【００４７】
又、図１２に示すように、Ｌ型鋼棒１の下端部１ｂにおいて、その一方のＬ型鋼片部１５に天井下地材である野縁受け１３ａをビス止めし、該野縁受け１３ａの下方側にあって前記一方のＬ型鋼片部１５に直交する他方のＬ型鋼片部１６をビス止めし、これによって固定用ハンガーやクリップを必要とすることがなく部品点数が少なく安価に野縁受け１３ａ及び野縁１３ｂをＬ型鋼棒１にビス止めすることができ、しかのみならず、剛体補強リブ構造体であるＬ型鋼棒１を利用してこれに直接にビス止めされるため、より一層強力に野縁受け及び野縁をＬ型鋼棒１にビス止めすることができることになる。
【符号の説明】
【００４８】
Ｆ          Ｈ型鋼
Ｆ１        Ｈ型鋼の下部フランジ片
１          Ｌ型鋼棒
１ａ        Ｌ型鋼棒の上端部
１ｂ        Ｌ型鋼棒の下端部
２          吊持支持金具
３          押圧ボルト
４          吊持支持金具の上片部
５，６      左右側片部
７，８      左右挿入溝部
９，１０    左右ビス止め部
１１        ビス挿通孔
１２        固定ビス
１３        天井下地材
１４        固定用ハンガー
１５        Ｌ型鋼棒のＬ型鋼片部
１６        Ｌ型鋼棒のＬ型鋼片部
【図１】
2020183680.tif 000003
【図２】
2020183680.tif 000004
【図３】
2020183680.tif 000005
【図４】
2020183680.tif 000006
【図５】
2020183680.tif 000007
【図６】
2020183680.tif 000008
【図７】
2020183680.tif 000009
【図８】
2020183680.tif 000010
【図９】
2020183680.tif 000011
【図１０】
2020183680.tif 000012
【図１１】
2020183680.tif 000013
【図１２】
2020183680.tif 000014